(57)【特許請求の範囲】
【請求項１】
映像コンテンツを着脱可能な第１の記録部に録画し、前記映像コンテンツを第２の記録部に録画するとともに、所定時間が経過した場合は前記映像コンテンツを前記第２の記録部から削除する録画制御部と、
前記録画制御部による前記映像コンテンツの録画の予約または他機が前記映像コンテンツの録画の予約を行うために必要な録画予約情報を、前記第１の記録部に記録する予約情報生成部と、
前記第１の記録部に記録されている前記録画予約情報に記載された録画予約された前記映像コンテンツを、前記第２の記録部から取得可能である時間を計算する時間情報生成部と、
を備え
前記予約情報生成部は、前記録画予約情報を前記第１の記録部に記録する際に、前記他機が前記録画予約情報を読み取ることを許可するか否かを示すフラグを付加する映像再生装置。
【請求項２】
第１の映像再生装置が記録した録画の予約に必要な録画予約情報を用いて、前記第１の映像再生装置とは異なる第２の映像再生装置が録画を実行する録画管理システムであって、
前記第１の映像再生装置は、映像コンテンツの録画の予約または前記第２の映像再生装置が前記映像コンテンツの録画の予約を行うために必要な前記録画予約情報を第１の記録部に記録する予約情報生成部を備え、
前記第２の映像再生装置は、前記録画予約情報を読み取る予約情報読み取り部を備え、
前記予約情報生成部は、前記録画予約情報を前記第１の記録部に記録する際に、前記第２の映像再生装置が前記録画予約情報を読み取ることを許可するか否かを示すフラグを付加し、
前記予約情報読み取り部は、前記第１の記録部が接続された場合に、前記フラグを参照して、前記第１の記録部に記録された前記録画予約情報の読み取る際に、前記フラグが許可を示す場合は、前記録画予約情報に含まれる前記映像コンテンツの録画の予約を許可するか否かをユーザに選択させる表示画面を表示器に表示する、前記映像コンテンツの録画の予約を行う録画管理システム。
【請求項３】
第１の映像再生装置が記録した録画の予約に必要な録画予約情報を用いて、前記第１の映像再生装置とは異なる第２の映像再生装置が録画を実行する録画管理システムであって、
前記第１の映像再生装置は、映像コンテンツの録画の予約または前記第２の映像再生装置が前記映像コンテンツの録画の予約を行うために必要な前記録画予約情報を第１の記録部に記録する予約情報生成部を備え、
前記第２の映像再生装置は、前記録画予約情報を読み取る予約情報読み取り部と、
前記映像コンテンツが記録されるとともに、所定時間が経過すると記録された前記映像
コンテンツが削除される第２の記録部と、
前記第１の記録部に記録されている前記録画予約情報に記載された録画予約された前記
映像コンテンツを、前記第２の記録部から取得可能である時間を計算する時間情報生成部
と、
を備え、
前記予約情報生成部は、前記録画予約情報を前記第１の記録部に記録する際に、前記第２の映像再生装置が前記録画予約情報を読み取ることを許可するか否かを示すフラグを付加し、
前記予約情報読み取り部は、前記第１の記録部が接続された場合に、前記フラグを参照して、前記第１の記録部に記録された前記録画予約情報の読み取りを制御し、前記映像コンテンツの録画の予約を行う録画管理システム。
【請求項４】
第１の映像再生装置が記録した録画の予約に必要な録画予約情報を用いて、前記第１の映像再生装置とは異なる第２の映像再生装置が録画を実行する録画管理システムであって、
前記第１の映像再生装置は、映像コンテンツの録画の予約または前記第２の映像再生装置が前記映像コンテンツの録画の予約を行うために必要な前記録画予約情報を第１の記録部に記録する予約情報生成部を備え、
前記第２の映像再生装置は、前記録画予約情報を読み取る予約情報読み取り部と、
前記映像コンテンツが記録されるとともに、所定時間が経過すると記録された前記映像
コンテンツが削除される第２の記録部と、
前記第１の記録部に記録されている前記録画予約情報に記載された録画予約された前記
映像コンテンツを、前記第２の記録部から取得可能である時間を計算する時間情報生成部
と、
を備え、
前記予約情報生成部は、前記録画予約情報を前記第１の記録部に記録する際に、前記第２の映像再生装置が前記録画予約情報を読み取ることを許可するか否かを示すフラグを付加し、
前記予約情報読み取り部は、前記第１の記録部が接続された場合に、前記フラグを参照して、前記第１の記録部に記録された前記録画予約情報の読み取る際に、前記フラグが許可を示す場合は、前記録画予約情報に含まれる前記映像コンテンツの録画の予約を許可するか否かをユーザに選択させる表示画面を表示器に表示する、前記映像コンテンツの録画の予約を行う録画管理システム。
【請求項５】
前記表示画面において、前記ユーザが前記映像コンテンツの録画の予約の許可を選択した場合、前記第２の映像再生装置は、前記映像コンテンツの録画の予約を行う請求項２あるいは請求項４記載の録画管理システム。
【請求項６】
映像コンテンツを着脱可能な第１の記録部に録画し、
前記映像コンテンツを第２の記録部に記録するとともに、所定時間が経過すると記録した前記映像コンテンツを削除し、
前記映像コンテンツの録画の予約または他機が前記映像コンテンツの録画の予約を行う
ために必要な録画予約情報を、前記他機が読み取ることを許可するか否かを示すフラグを
付加して前記第１の記録部に記録し、
前記第１の記録部に記録されている前記録画予約情報に記載された録画予約された前記
映像コンテンツを、前記第２の記録部から取得可能である時間を計算する
録画管理方法。
【発明の詳細な説明】
【技術分野】
【０００１】
実施形態は、映像再生装置、録画管理システムおよび録画管理方法に関する。
【背景技術】
【０００２】
ＨＤ（High Definition）映像コンテンツを貯蓄するストレージデバイス向けＤＲＭ（Digital Right Management）技術として、ＳｅｅＱＶａｕｌｔ（登録商標）がある。ＳｅｅＱＶａｕｌｔの規格を満たした映像データは、同規格を満たした映像再生装置間で互換性を有し、再生可能である。したがって、同規格を満たす映像再生装置を複数有している場合、同規格を満たす映像データが記録されたストレージデバイスは、上記複数の映像再生装置において接続されうる。
【先行技術文献】
【特許文献】
【０００３】
【特許文献１】特開２００６−０９４２０４号公報
【発明の概要】
【発明が解決しようとする課題】
【０００４】
しかしながら、上記のように、ストレージデバイスを複数の映像再生装置間でもち運びする場合、ストレージデバイスが、ある映像再生装置に接続されている際になされた録画予約は、ストレージデバイスが別の映像再生装置に接続されている際に実施されないという問題がある。
【０００５】
実施形態は、接続時に映像を記録する記録装置に対して用意する予約情報の映像を、映像の記録時に接続する他記録装置において記録可能とする映像再生装置を提供することである。
【課題を解決するための手段】
【０００６】
実施形態に係る映像再生装置は、映像再生装置が記録した録画予約情報に基づいて他機が録画を実行可能な録画管理システムにおける前記映像再生装置であって、録画制御部と、予約情報生成部と、時間情報生成部と、を備える。録画制御部は、映像コンテンツを着脱可能な記録部に録画する。予約情報生成部は、映像コンテンツの前記録画予約情報を前記他機が読み取り可能に生成して前記着脱可能な記録部に記録する。時間情報生成部は、録画予約情報に記載された録画予約された前記映像コンテンツを、第２の記録部から取得可能である時間を計算する。
【図面の簡単な説明】
【０００７】
【図１】図１は、２つの映像再生装置と記録部とがとりうる３つの状態を例示する図である。
【図２】図２は、第１の実施形態に係る映像再生装置の構成の一例を示す図である。
【図３】図３は、記録部に記録されたデータファイルの例を示した図である。
【図４】図４は、映像再生装置が行う信号処理の流れを示した図である。
【図５】図５は、映像再生装置が行う信号処理の流れを示した図である。
【図６】図６は、映像再生装置が行う信号処理の流れを示した図である。
【図７】図７は、映像再生装置が行う信号処理の流れを示した図である。
【図８】図８は、第２の実施形態に係る映像再生装置の構成の一例を示す図である。
【図９】図９は、通知メッセージが表示器に表示された様子を示した図である。
【図１０】図１０は、映像再生装置が行う信号処理の流れを示した図である。
【発明を実施するための形態】
【０００８】
以下、図面を参照しながら実施形態に係る映像再生装置および録画管理システムについて説明する。本明細書において、映像再生装置１Ａ並びに映像再生装置１Ｂおよび着脱可能な記録部１５１（ストレージ）は、ＳｅｅＱＶａｕｌｔ等のメディアバインド方式の暗号化規格を満たしている。従って、着脱可能な記録部１５１に記録された暗号化映像データは、映像再生装置１Ａおよび映像再生装置１Ｂの双方で暗号化復号し、再生することができる。それ故、ユーザが着脱可能な記録部１５１を複数装置で交互に利用するユースケースが考えられ、図１に示すように、着脱可能な記録部１５１は、映像再生装置１Ａに接続された状態１、どの映像再生装置にも接続されていない状態２および映像再生装置１Ｂに接続された状態３の何れかの状態に置かれ得る。
【０００９】
（第１の実施形態）  
図２は、第１の実施形態に係る映像再生装置１Ａの構成の一例を示す図である。映像再生装置１Ｂは、例えば、映像再生装置１Ａと同じ構成である。
【００１０】
図２に示すように、第１の実施形態に係る映像再生装置１Ａは、アンテナ１０１、入力端子１０２、チューナー部１０３、外部入力端子１０４〜１０７、信号処理部１０８、コントローラ１１０、ＯＳＤ（On - Screen Display）信号生成部１１１、グラフィック処理部１１２、映像処理部１１３、音声処理部１１４、操作部１１５、受信部１１７、カードホルダ１１９、カードインターフェース１２０、明るさセンサ１２１、ＬＡＮ端子１２２、通信インターフェース１２３、ＵＳＢ端子１２４、ＵＳＢインターフェース１２５、ＨＤＭＩ（登録商標）端子１２８、ＨＤＭＩインターフェース１２９、映像表示部１４１、スピーカ１４２、記録部１５１を備えている。なお上記の各モジュールはそれぞれハードウェア回路として構成されており、例えば専用線や汎用通信バス等の電気信号線により接続されている。
【００１１】
また、本実施形態では、図２に示すように、映像再生装置１Ａが、映像表示部１４１及びスピーカ１４２を備えるケースについて説明する。しかしながら、映像再生装置１Ａは、このような構成に限定されるものではない。例えば、映像再生装置１Ａは、映像表示部１４１及びスピーカ１４２を含まない構成であってもよい。つまり、映像再生装置１Ａは、ＨＤＭＩ等の接続手段を介して映像表示部１４１及びスピーカ１４２と接続する構成であってもよい。
【００１２】
また、本実施形態の映像再生装置１Ａでは、図２に示すように、記録部１５１は、ＵＳＢ端子１２４及びＵＳＢインターフェース１２５などの接続手段を介して映像再生装置１Ａと接続されている。記録部１５１は、例えば、大容量のＨＤＤ（Hard Disk Drive）であり、多くの録画番組が記録されている。また、記録部１５１は、着脱可能である。
【００１３】
図３は、記録部１５１（ストレージ）に記録されたデータファイルの例を示した図である。図３の例では、ストレージに、コンテンツＡ、ＢおよびＣの３つの映像データファイル３２Ａ、３２Ｂおよび３２Ｃと、それら映像データファイルに対応する管理ファイル３４Ａ、３４Ｂおよび３４Ｃと、ストレージに記録されたファイル全体を管理するストレージ全体管理ファイル３０と、が記録されている。
【００１４】
管理ファイル３４Ａ、３４Ｂおよび３４Ｃには、対応する映像データファイルのコーデック情報、ビットレート、解像度等の情報が記録されている。また、ストレージ全体管理ファイル３０には、ストレージ内に記録されたコンテンツ数、リジューム情報、各映像データファイルのタイトルおよび録画日時等が記録されている。また、ストレージ全体管理ファイルには、後に説明する予約情報生成部２００によって録画予約情報および録画予約依頼有無フラグのＯＮ／ＯＦＦが記録される。
【００１５】
録画予約依頼有無フラグがＯＮであるとは、即ち、記録部１５１を他機に接続している間に、接続している他機に対して、所望の映像コンテンツを録画する要求をするということであり、録画予約依頼有無フラグがＯＦＦであるとは、記録部１５１を他機に接続している間に、接続している他機に対して、所望の映像コンテンツを録画する要求をしないということである。また、録画予約依頼有無フラグがＯＦＦであっても、録画予約情報を記録したときに接続していた映像再生装置では、録画予約情報に基づいて映像コンテンツの記録を行うことができる。
【００１６】
なお録画予約依頼有無フラグは、複数の録画予約の夫々のために複数用意されても良いし、あるいは、該複数の録画予約全てに対し１つのみ用意されてもよい。つまり、録画予約依頼有無フラグが複数用意されており、例えば第１コンテンツの録画予約のフラグがＯＮ、第２コンテンツの録画予約のフラグがＯＦＦであれば、他機に対して第１コンテンツの代理録画が依頼される一方で第２コンテンツの代理録画は依頼されない。また、複数の録画予約に対して録画予約依頼有無フラグが１つ用意されており、例えば予約録画対象のコンテンツとして第１及び第２コンテンツがある場合、他機に対して当該第１及び第２コンテンツの代理録画が依頼される。
【００１７】
また、本実施形態では、図２に示すように、映像再生装置１Ａが、チューナーを備えるケースについて説明する。しかしながら、映像再生装置１Ａは、このような構成に限定されない。例えば、映像再生装置１Ａが、チューナーを含まない構成であってもよい。その場合、例えば、映像再生装置１Ａは、ＬＡＮ端子１２２を介してＩＰ（Internet Protocol）放送を受信し、ＩＰ放送の複数チャンネルに対応した番組を再生したり、録画したりする構成であってもよい。
【００１８】
以下、映像再生装置１Ａの詳細について説明する。
【００１９】
地上波放送受信用のアンテナ１０１で受信した地上デジタルテレビジョン放送信号は、入力端子１０２を介してチューナー１０３に供給され、チューナー１０３の地上デジタルテレビジョン放送用信号処理部で、所望のチャンネルのデジタルテレビジョン放送信号が選局される。そして、このチューナー１０３で選局された複数のデジタルテレビジョン放送信号は、信号処理部１０８に供給されて、デジタルの映像信号及びデジタルの音声信号に復調される。
【００２０】
ここで、上記信号処理部１０８は、上記デジタルの映像信号及び音声信号に対して、選択的に所定のデジタル信号処理を施し、グラフィック処理部１１２及び音声処理部１１４に出力している。
【００２１】
また、上記信号処理部１０８には、例えば４つの入力端子１０４〜１０７が接続されている。これら入力端子１０４〜１０７は、それぞれ、アナログの映像信号及び音声信号を、映像再生装置１Ａの外部から入力可能とするものである。
【００２２】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００２３】
このうち、グラフィック処理部１１２は、信号処理部１０８から供給されるデジタルの映像信号に、ＯＳＤ信号生成部１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力することができる。
【００２４】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００２５】
また、上記音声処理部１１４は、入力されたデジタルの音声信号を、スピーカ１４２で再生可能なフォーマットのアナログ音声信号に変換した後、スピーカ１４２に出力して音声再生させる。
【００２６】
ここで、この映像再生装置１Ａにおいて、上記した各種の受信動作を含むその全ての動作は、コントローラ１１０によって統括的に制御されている。コントローラ１１０は、ＣＰＵ（central processing unit）１１００等を備え、操作部１１５からの操作情報（各種指示）、または、リモートコントローラ１１６から送出され受信部１１７を介して受信した操作情報（各種指示）を受けて、その操作内容が反映されるように各モジュール等をそれぞれ制御する。
【００２７】
また、コントローラ１１０は、コンテンツの再生制御の機能も有しており、入力された操作情報に応じてコンテンツ再生を制御する。なお、受信部１１７及びリモートコントローラ１１６は、電波等を用いる無線通信により操作信号の送受信を行うものであってもよいし、赤外線を利用するものであってもよい。ここで、コンテンツとは、例えば、受信した放送信号を録画した録画番組、ビデオカメラ等で撮影して記録した記録コンテンツ、インターネット上に接続されたサーバに蓄えられているデータ等の映像コンテンツを含む。
【００２８】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３と、を備えている。そして、ＲＯＭ１１０１、ＲＡＭ１１０２及び不揮発性メモリ１１０３は、ＣＰＵ１１００と電気的に接続されている。不揮発性メモリ１１０３には、後に述べる、録画予約情報が記憶される。
【００２９】
コントローラ１１０は、予約情報生成部２００を更に備える。予約情報生成部２００は、ＣＰＵ１１００が実行するソフトウェアモジュールでも良いが、ハードウェアであっても良い。
【００３０】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報の送受信を行なうことができる。
【００３１】
また、上記コントローラ１１０は、通信インターフェース１２３を介してＬＡＮ端子１２２と接続されている。コントローラ１１０は、ＬＡＮ端子１２２に接続されたＬＡＮ対応機器と、通信インターフェース１２３を介して情報の送受信を行なうことができる。映像再生装置１Ａは、通信インターフェース１２３を介して、ネットワークに接続された、サーバおよびスマートフォンならびにタブレットといった携帯端末と通信可能である。
【００３２】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報の送受信を行なうことができる。
【００３３】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報の送受信を行なうことができる。ＵＳＢ端子１２４には、例えば、着脱可能な記録部１５１が接続される。
【００３４】
さらに、上記コントローラ１１０は、チューナー部１０３により選局されデスクランブルされた放送信号を、記録部１５１へ録画するための録画動作を制御することもできる。
【００３５】
さらに、上記コントローラ１１０は、明るさセンサ１２１からの明るさ検出信号を受信するように構成されている。これにより、コントローラ１１０は、明るさ検出信号に基づき、映像及びバックライトの明るさ等を制御することができる。
【００３６】
第１の実施形態において、上記コントローラ１１０が備える予約情報生成部２００について詳しく説明する。
【００３７】
予約情報生成部２００は、映像コンテンツの録画予約情報を他機が読み取り可能に生成し、上記着脱可能な記録部１５１に記録する。録画予約情報とは、例えば、録画する放送番組の放送日時、チャンネル、記録時のビットレート等である。上記他機とは、例えば、映像再生装置１Ａと同様にＳｅｅＱＶａｕｌｔの規格を満たし、ＵＳＢ端子を介して記録部１５１が接続可能であり、予約情報生成部２００が生成した録画予約情報および録画予約依頼有無フラグを読み取ることが可能な映像再生装置１Ｂである。
【００３８】
なお、予約情報生成部２００が生成した録画予約情報および録画予約依頼有無フラグを読み取ることができない映像再生装置であっても、記録部１５１に上記録画予約情報および録画予約依頼有無フラグのデータを読み取ることができるプログラムを記録しておくことによって、ＣＰＵ１１００のソフトウェアをアップデートして、録画予約情報を読み取れるようにすることが可能である。
【００３９】
上述したように、予約情報生成部２００は、記録部１５１内のストレージ全体管理ファイル３０内に、録画予約依頼の有無を判断するデータ領域を作成する。具体的には、ストレージ全体管理ファイル３０内に、他機（例えば、映像再生装置１Ｂ）に録画予約を依頼するか否かの録画予約依頼有無フラグがＯＮまたはＯＦＦの何れかで記録されており、予約情報生成部２００は、上記録画予約依頼有無フラグを更新する。
【００４０】
例えば、映像再生装置１Ｂは、録画予約依頼有無フラグがＯＮであれば、記録部１５１に記録された録画予約情報を読み取り、録画予約依頼有無フラグがＯＦＦであれば、記録部１５１に記録された録画予約情報を読み取らない。
【００４１】
続いて、上記データファイルが記録された記録部１５１が、録画予約情報および録画予約依頼有無フラグを読み取り可能な他機（映像再生装置１Ｂ）に接続された場合の、動作について説明する。
【００４２】
上記着脱可能な記録部１５１が接続された映像再生装置１Ｂは、例えば、映像再生装置１Ｂに内蔵されたＣＰＵが、録画予約依頼有無フラグがＯＮであることを読み取り、録画予約情報を読み取る。録画予約情報には、映像再生装置１Ｂにおいて録画を許可するか否かの表示画面を表示器に表示する指示が含まれている。映像再生装置１Ｂにて録画予約情報に基づいた録画を行う場合、読み取った録画予約情報は、例えば、映像再生装置１Ｂに内蔵された不揮発性メモリに記録され、録画予定情報に記された日時に録画が実行される。録画予約依頼有無フラグがＯＦＦであることを読み取った場合は、映像再生装置１Ｂは、記録部１５１に記録された録画予約情報を読み取らない。
【００４３】
上記のとおり、録画予約情報を着脱可能な記録部１５１内に記録することで、録画予約がなされた際に接続されていた映像再生装置とは、異なる映像再生装置に記録部１５１が接続されていても所望の映像コンテンツを記録することが可能となる。
【００４４】
以下に、録画予約依頼有無フラグのＯＮ／ＯＦＦを更新する要求があった場合、および、録画予約情報を更新する要求があった場合の、記録部１５１内で行われる処理について図４および５を参照しながら説明する。
【００４５】
例えば、リモコンのキーが押下されることによって、記録部１５１に記録されている録画予約依頼有無フラグのＯＮ／ＯＦＦの切り替えを要求し（[４０]）、録画予約依頼有無フラグをＯＮに更新する要求があった場合（[４２]）、ストレージ全体管理ファイル３０内の録画予約依頼有無フラグはＯＮの状態となる（[４４]―ＹＥＳ）。続いて、ストレージ全体管理ファイル３０内の録画予約情報を更新して（[４６]）、処理を終了する。また、例えば、リモコンのキーが押下されることによって、記録部１５１に記録されている録画予約依頼有無フラグをＯＦＦに更新する要求があった場合（[４２]）、ストレージ全体管理ファイル３０内の録画予約依頼有無フラグはＯＦＦの状態となり（[４４]―ＮＯ）、処理は終了する。
【００４６】
また、例えば、リモコンのキーが押下されることによって、録画予約情報を更新する要求があった場合（[５０]）、ストレージ全体管理ファイル３０内の録画予約依頼有無フラグのＯＮ／ＯＦＦを更新する（[５２]）。続いて、ストレージ全体管理ファイル３０内の録画予約情報を更新して（[５４]）処理を終了する。
【００４７】
続いて、図６を参照しながら、着脱可能な記録部１５１が録画予約情報を読み取り可能な他機（例えば、映像表示装置１Ｂ）に接続された際に、録画予約依頼が表示器に表示され、ユーザに許可されるまでのフローについて説明する。
【００４８】
先ず、記録部１５１が他機に接続されると、他機は、録画予約依頼有無フラグがＯＮであるか否かを確認する（[６０]）。録画予約依頼有無フラグがＯＦＦであるならば（６０−ＮＯ）、処理を終了する。録画予約依頼有無フラグがＯＮであるならば（６０−ＹＥＳ）、記録部１５１内の録画予約情報に基づいて、録画予約を許可するかどうかの画面を表示器に表示する（[６２]）。表示された上記画面において、ユーザが録画予約を許可しなかったならば（[６４]−ＮＯ）、処理を終了する。表示された上記画面において、ユーザが録画予約を許可したならば（[６４]−ＹＥＳ）、他機は、自身が保持する録画予約情報のデータと、接続された記録部１５１内の録画予約情報のデータとを併合する（[６６]）。（データの併合とは、例えば、他機に記録されていた録画予定の番組の全てと記録部１５１に記録されていた録画予定の番組の全てとを、録画予定の番組として扱うことを意味してもよい）他機が備えるチューナー数等の関係から、上記併合された録画予約情報において、同時に録画可能な番組数が許容量を超える時間帯がない場合（[６８]−ＮＯ）、処理を終了する。同時に録画可能な番組数が許容量を超える時間帯がある場合（[６８]−ＹＥＳ）、どの録画予約を削除するかを選択できる画面を表示し、ユーザ操作に応じて何れかの録画予約を削除する（[６９]）。以後、記録部１５１に記録された録画予約情報に記された番組を録画できるまで上記処理を繰り返す。
【００４９】
続いて、録画予約情報が記録された記録部１５１が、他機から取り外される場合について、図７のフローチャートを参照しながら説明する。記録部１５１が他機に接続された際に、録画予約依頼が許可されている場合、記録部１５１と他機との接続を解除する指示が入力されると、他機の表示器に、記録部１５１から依頼された録画予約を削除するかどうかの選択画面が表示される（[７０]）。ユーザが、許可した録画予約情報を削除する選択をしない場合（[７２]―ＮＯ）、処理を終了する。ユーザが、許可した録画予約情報を削除する選択をした場合（[７２]―ＹＥＳ）、他機に記録された録画予約情報から、接続を解除された記録部１５１へ番組を記録する録画予約の情報を削除して（[７４]）、処理を終了する。
【００５０】
上記のとおり、第１の実施形態の映像再生装置および録画管理システムによれば、自機で生成した予約情報を利用して、ストレージデバイスが自機に接続されていない期間があっても、映像データの記録が可能である。
【００５１】
（第２の実施形態）  
図８は、第２の実施形態に係る映像再生装置２Ａの構成を概略的に示す図である。映像再生装置２Ａは、コントローラ１１０内の時間情報生成部２１０と、複数のチューナー１０３１〜１０３８とを備え、且つ、複数の記録部１５１および１５２が接続されている点において映像再生装置１Ａとは異なる。また、映像再生装置２Ａは、ＳｅｅＱＶａｕｌｔ
等のメディアバインド方式の暗号化規格を満たしている。
【００５２】
記録部１５１は着脱可能な記録部であるが、記録部１５２は、必ずしも着脱可能である必要はない。記録部１５２は、例えば、映像再生装置２Ａのコントローラに接続され、複数の番組を同時にシームレスに記録可能な大容量ＨＤＤである。記録部１５２に記録された映像コンテンツは、例えば、データの総量が所定の値に達すると、最も過去に記録された映像コンテンツから順に削除される。
【００５３】
第２の実施形態に係る映像再生装置２Ａでは、着脱可能な記録部１５１が、映像再生装置２Ａと接続されておらず、記録する予定だった映像コンテンツが録画されなくても、所定の時刻までに映像再生装置２Ａと再接続すれば、記録部１５２に記録された映像コンテンツを記録部１５１にダビングすることが可能である。
【００５４】
以下に、映像再生装置２Ａが備える上記の機能について説明する。
【００５５】
第１の実施形態である映像再生装置１Ａと同様、予約情報生成部２００は、着脱可能な記録部１５１内に、録画予約依頼有無フラグおよび録画予約情報を生成して記録する。
【００５６】
時間情報生成部２１０は、録画予約情報および着脱可能な記録部１５１内のストレージ全体管理ファイル３０と、前記記録部１５２内のストレージ全体管理ファイルと、から、着脱可能な記録部１５１に記録されなかった映像コンテンツがダビング可能である時刻を計算する。
【００５７】
時間情報生成部２１０は、例えば、記録部１５１内のストレージ全体管理ファイル３０に記録された録画予定の番組名、番組放送時刻、番組放送時間等を参照する。時間情報生成部２１０は、上記参照した番組名、番組放送時刻、番組放送時間等と、記録部１５２内のストレージ全体管理ファイルに記録された、記録部１５２の記録可能なデータ量とから、着脱可能な記録部１５１に録画予定の番組が記録部１５２に記録された場合、将来のどの時点で記録部１５２から消去されうるかを計算する。そして、時間情報生成部２１０は、記録部１５２に記録した番組の記録部１５１へのダビング、すなわち記録部１５２が保持する番組を着脱可能な記録部１５１が取得するために要する時間等を考慮して、着脱可能な記録部１５１に記録されなかった映像コンテンツが、記録部１５２からダビング可能である最終時刻を計算する。
【００５８】
時間情報生成部２１０は、また、着脱可能な記録部１５１内のストレージ全体管理ファイル３０に、上記計算した時刻を通知するメッセージを記録する。上記通知メッセージは、記録部１５１が、映像再生装置２Ａから接続を解除される際、および、録画予約情報を読み取り可能な他機に接続された際に、表示器に表示される。
【００５９】
図９は、上記通知メッセージが表示器に表示された様子を示した図である。
【００６０】
図９では、着脱可能な記録部１５１が映像再生装置２Ａからとりはずされた状態２において、映像再生装置２Ａの表示器に、例えば「門限」という表現で例示しているが、「１月５日の１５時３２分頃までに再接続してください」という、趣旨の着脱可能な記録部１５１と映像再生装置２Ａとの接続を、ダビング、すなわち記録部１５２が保持する番組を着脱可能な記録部１５１が取得するために、可能な最終時刻（時間）までの間に元に戻すことが必要であることを報知するメッセージが表示されている様子が示されている。上記メッセージは、例えば、記録部１５１が映像再生装置２Ａから取り外された後でなくても、記録部１５１が取り外し可能となる指示入力を受けた際に表示されてもよい。また、最終時刻でなく残り時間が表示されても良い。
【００６１】
また、図９では、着脱可能な記録部１５１がストレージ全体管理ファイル３０を読み取り可能な他機（ここでは、映像再生装置１Ｂ）に接続された状態３において、映像再生装置１Ｂの表示器に、同様に、「門限」という表現で例示しているが、「１月５日の１５時３２分頃までに映像再生装置２Ａに再接続してください」という趣旨の記録部１５１と映像再生装置２Ａとの接続を、ダビング、すなわち記録部１５２が保持する番組を着脱可能な記録部１５１が取得するために、可能な最終時刻までの間に元に戻すことを促すメッセージが表示されている様子が示されている。記録部１５１が映像再生装置１Ｂに接続されている間は、例えば、所定のキーを押下するユーザの指示によっても、上記メッセージを表示することが可能である。
【００６２】
図１０は、着脱可能な記録部１５１が映像再生装置２Ａに再接続された際の処理のフローを示した図である。記録部１５１が映像再生装置２Ａに接続されると、映像再生装置２Ａが複数のチャンネルを同時に記録する機能（多チャンネル全録機能）を実施しているか否かを判定する（[１０]）。映像再生装置２Ａが多チャンネル全録機能を実施していない場合（[１０]―ＮＯ）、処理を終了する。映像再生装置２Ａが多チャンネル全録機能を実施している場合（[１０]−ＹＥＳ）、続いて、記録部１５１に記録できなかった映像コンテンツがあるか否かを判定する（[１２]）。記録部１５１に記録できなかった映像コンテンツがない場合（[１２]−ＮＯ）、処理を終了する。記録部１５１に記録できなかった映像コンテンツがある場合（[１２]−ＹＥＳ）、続いて、映像再生装置２Ａに接続された記録部１５２から記録部１５１へ、ダビングにより補完可能なコンテンツがあるか否かを判定する（[１４]）。ダビングにより補完可能なコンテンツがない場合（[１４]−ＮＯ）、処理を終了する。ダビングにより補完可能なコンテンツがある場合（[１４]−ＹＥＳ）、当該コンテンツを多チャンネル全録機能が実施された記録部１５２から記録部１５１にダビングし（[１６]）、以後ダビングにより補完可能なコンテンツがなくなるまで処理を繰り返し、処理を終了する。
【００６３】
上記のとおり、多チャンネル全録機能を有している映像再生装置２Ａによれば、着脱可能な記録部１５１に記録されなかった番組は、同番組が記録部１５２に記録され且つ保存されている間、ダビング可能である。従って、自機で生成した予約情報を利用して、ストレージデバイスが自機に接続されていない期間があっても、映像データの記録が可能となる。
【符号の説明】
【００６４】
１Ａ…映像再生装置、１０１…アンテナ、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサ、１２２…ＬＡＮ端子、１２３…通信インターフェース、１２４…ＵＳＢ端子、１２５…ＵＳＢインターフェース、１２８…ＨＤＭＩ端子、１２９…ＨＤＭＩインターフェース、１４１…映像表示部、１４２…スピーカ、１５１…第１記録部、２００…予約情報生成部、２１０…時間情報生成部。
【図１】
0006454163.tif 000002
【図２】
0006454163.tif 000003
【図３】
0006454163.tif 000004
【図４】
0006454163.tif 000005
【図５】
0006454163.tif 000006
【図６】
0006454163.tif 000007
【図７】
0006454163.tif 000008
【図８】
0006454163.tif 000009
【図９】
0006454163.tif 000010
【図１０】
0006454163.tif 000011